(57)【要約】【課題】遮熱効果に優れ、外観が良好であり、真夏の日中にも内部温度の上昇を抑制することができる屋外設置型の電気電子機器収納用キャビネットを提供する。【解決手段】キャビネット筺体１とその外面に設置された遮光板１６との間に、冷却機器３を配置する。冷却機器３は熱交換器であっても、電子式クーラであってもよい。キャビネット筺体１の内部温度の上昇は遮光板１６と冷却機器によって効率よく抑制されるとともに、外観上も良好なものとすることができる。【選択図】図１
2008091606.tif 000002
【特許請求の範囲】
【請求項１】
キャビネット筺体とその外面に設置された遮光板との間に、冷却機器を配置したことを特徴とする電気電子機器収納用キャビネット。
【請求項２】
冷却機器のカバーをキャビネット筺体の一面に拡大し、遮光板としたことを特徴とする請求項１記載の電気電子機器収納用キャビネット。
【請求項３】
キャビネット筺体とその外面に設置された遮光板との間に補強板を配置し、冷却機器からの排気の再吸引を規制する機能を持たせたことを特徴とする請求項１または２に記載の電気電子機器収納用キャビネット。
【発明の詳細な説明】
【技術分野】
【０００１】
本発明は、屋外に設置される電気電子機器収納用キャビネットに関するものである。
【背景技術】
【０００２】
屋外設置型の電気電子機器収納用キャビネットは、直射日光による高温から内部機器を保護するために、キャビネット筺体の内部から熱を逃がす工夫が要求される。特にＨＵＢやVDSL等は内部機器の発熱量が多いために、真夏の日中の内部温度が問題となる。また、屋外設置型の電気電子機器収納用キャビネットは、風雨や外気中のダストの影響を避けるために防水、防塵の性能を要求される。従って、キャビネットの内部を換気によって冷却することは、適切ではない。
【０００３】
このため、屋外設置型の電気電子機器収納用キャビネットにはキャビネット筺体の外側に遮光板を取付け、直射日光を遮る遮熱効果を持たせたものが多い。また特許文献１のように熱交換器等の冷却機器を備えたものも多いが、冷却機器は外気との熱交換部を必要とするので、冷却機器を取り付けた面には遮光板を設置する場合には、冷却機器の部分を避けて遮光板を設置することになる。このため冷却機器の外側のほとんどの部分が直射日光にさらされることになり、冷却機器の性能が損なわれるという問題がある。さらに、冷却機器がキャビネットの外側に突出することとなるので、外観も悪いという問題があった。
【特許文献１】特開２００５−３１０９２４号公報
【発明の開示】
【発明が解決しようとする課題】
【０００４】
本発明は上記した従来の問題点を解決し、遮熱効果に優れ、外観が良好であり、真夏の日中にも内部温度の上昇を抑制することができる屋外設置型の電気電子機器収納用キャビネットを提供することを目的とするものである。
【課題を解決するための手段】
【０００５】
上記の課題を解決するためになされた本発明は、キャビネット筺体とその外面に設置された遮光板との間に、冷却機器を配置したことを特徴とするものである。なお、冷却機器のカバーをキャビネット筺体の一面に拡大し、遮光板とした構成を取ることもでき、キャビネット筺体とその外面に設置された遮光板との間に補強板を配置し、冷却機器からの排気の再吸引を規制する機能を持たせることもできる。
【発明の効果】
【０００６】
本発明の電気電子機器収納用キャビネットは、キャビネット筺体とその外面に設置された遮光板との間に、冷却機器を配置した構造であり、外気との熱交換を遮光板に設けたルーバやスリットを介して行うことができるので、冷却機器をキャビネットの外側に突出させる必要がない。従って遮熱効果に優れ、外観が良好であり、真夏の日中にも内部温度の上昇を抑制することができる。
【発明を実施するための最良の形態】
【０００７】
図１〜図６は、冷却機器が熱交換器である第１の実施形態を示すものである。
図１において、１は電気電子機器収納用キャビネットのキャビネット筺体であり、この図ではフレーム構造を持たないモノコックの筺体が示されているが、フレーム構造の筺体であってもよい。その側面あるいは背面には開口部２が形成されており、冷却機器３である熱交換器がこの開口部２に取付けられている。なおキャビネット筺体１に予備の開口部２を形成しておき、ブラインドパネルで塞いで複数の冷却機器３を取付け可能としておくこともできる。
【０００８】
冷却機器３である熱交換器は、図２に示すように本体４と外側プレート５とからなる。図２、図３に示すように、本体４の背面上部には盤内空気の吸気口６が設けられており、盤内空気を吸引する盤内ファン７が取付けられている。盤内ファン７の下方には両端部がゴムパッキンと金具によって支持された複数本の伝熱パイプ８が設けられており、その下端部は盤内側に突出されている。盤内ファン７により吸引された盤内空気は、伝熱パイプ８の内部を通って下端部から盤内に戻される。一方、伝熱パイプ８の下側の手前側には盤外ファン９が設置され、その周囲はフード１０によって囲まれている。この実施形態では、伝熱パイプ８は熱伝導率の大きいアルミニウム管である。
【０００９】
外側プレート５は中央に排気口１１、下側に外気を吸引するための吸気口１２が設けられている。図３に示されるように、上記のフード１０はこの吸気口１２から外側に突出させておく。排気口１１の上部には庇１３を突設し、下側には傾斜させた風向ガイド１４を設けておく。さらにこの実施形態では、上部にメンテナンス用開口を設け、メンテナンス蓋１５で封止しておく。このメンテナンス用開口は盤内ファン７のメンテナンスを外側から行えるようにするためのものである。
【００１０】
図１、図３に示すように、上記した冷却機器３の外側には遮光板１６が取付けられており、キャビネット筺体１と遮光板１６との間に冷却機器３を配置した構造となっている。この遮光板１６は周縁部を四方に折り曲げた形状のもので、排気口１１に対応する部分のやや上部にルーバ１７を設けるとともに、吸気口１２に対応する部分のやや下側にルーバ１８を施しておく。このような構造とすることにより、ルーバ１７、１８から侵入する雨水が直接ファン９や伝熱パイプ８に降りかかることを防止するものである。また折り曲げられた側面や上面にはスリット１９を形成し、遮光板１６とキャビネット筺体１との間の空気を逃がすようになっている。さらに遮光板１６の裏面中央部には補強板２０を設け、冷却機器３からの排気が吸気口１２から再吸引されないようにする機能を持たせてある。また、本発明では冷却機器３のカバーをキャビネット筺体１の一面に拡大して遮光板１６としたことにより、冷却機器３のカバーが遮光板１６の機能を兼用することとなり、冷却機器３のみをカバーで覆い、さらにその外側を遮光板で覆う場合に比べ、製造コストの面で有利なものとなる。
【００１１】
なお、図１に示されるようにキャビネット筺体１の冷却機器３のない面にも遮光板２１が取付けられているが、ルーバ１７、１８のない点を除き、その他の構成は上記した遮光板１６と同様である。このようにキャビネット筺体１の各面を遮光板１６、２１で覆うことにより、外観上の違和感をなくすることができる。
【００１２】
このように構成された電気電子機器収納用キャビネットは、屋外に設置された場合にも遮光板１６、２１による遮熱効果によってキャビネット筺体１の内部温度の上昇を抑制することができる。また冷却機器３は、盤内ファン７により盤内空気を吸引して伝熱パイプ８を通して循環させるとともに、遮光板１６のルーバ１８を介して盤外ファン９が外気を吸引し、伝熱パイプ８の外部を上向きに流して排気口１１、遮光板１６のルーバ１７を介して外部に放出する。
【００１３】
この間に伝熱パイプ８の壁面を介して盤内空気と外気との間で熱交換が行われ、盤内空気は冷却されるので、換気方式によらずに盤内を冷却することが可能となる。このため、キャビネット筺体１の内部温度の上昇は、遮光板１６、２１と冷却機器３とによって、効率よく抑制されることとなる。また上記のように風向ガイド１４や補強板２０を設けておけば、排気口１１から排気される加熱された空気が直接盤外ファン９に吸引されることを防止することができる。
【００１４】
上記の実施形態では熱交換器を半埋め込み方式によりキャビネット筺体１の開口部２に取付けたが、これに限定されるものではない。またその数は、図４に示すように複数としてもよく、取付面も任意であって図５のように扉面への取付けや、図６に示すように両面への取付けも可能である。これらの場合にも外観は大差なく、違和感は少ない。
【００１５】
図７以下は、冷却機器３が電子式クーラである第２の実施形態を示すものである。
この電子式クーラの冷却ユニットは、図８に示すようにペルチェ素子３０の両面にフィン３１、３２とファン３３、３４とを配置したものである。本体３５の背面に開口部を設け、ペルチェ素子３０がこの開口部に嵌め込まれている。フィン３１、３２の外側はファン取付部材３６、３７で覆われている。盤内側のフィン３１の下側には凝結したドレンを受けるドレンパン３８を設け、本体３５の背面下部に設けたスリット３９を通してドレンを盤外側に排出できるようにしておく。なお、ペルチェ素子３０は図示しない電源ユニットより電源の供給を受けて、駆動するものである。
【００１６】
このような電子式クーラを、本体３５が盤内側に突出するようにキャビネット筺体１に取付け、ペルチェ素子３０に直流を通電して盤内を冷却する。電子式クーラの外側は図９に示すように遮光板１６により覆われる。遮光板１６にはファン３３に対応する位置にルーバ１６ａを設けるとともに、第１の実施形態と同様にスリット１９を設けておく。
【００１７】
この第２の実施形態の電気電子機器収納用キャビネットも、換気によらずに盤内を冷却することが可能であり、キャビネット筺体１の内部温度の上昇は、遮光板１６と冷却機器３とによって効率よく抑制され、真夏の日中にも内部温度の上昇を抑制することができる。またキャビネット筺体１の外面全体は遮光板１６、２１により覆われており、外観上の違和感はない。
【図面の簡単な説明】
【００１８】
【図１】第１の実施形態を示す分解斜視図である。
【図２】遮光板を省略した分解斜視図である。
【図３】要部の断面図である。
【図４】第１の実施形態の変形例を示す斜視図である。
【図５】第１の実施形態の熱交換器をキャビネット筺体に取り付けた様子を示す示す斜視図である。
【図６】第１の実施形態の熱交換器をキャビネット筺体の前後の扉に取り付けた様子を示す斜視図である。
【図７】第２の実施形態における冷却機器の斜視図である。
【図８】第２の実施形態における冷却機器の断面図である。
【図９】第２の実施形態を示す斜視図である。
【符号の説明】
【００１９】
１  キャビネット筺体
２  開口部
３  冷却機器
４  熱交換器の本体４
５  外側プレート
６  盤内空気の吸気口
７  盤内ファン
８  伝熱パイプ
９  盤外ファン
１０  フード
１１  排気口
１２  吸気口
１３  庇
１４  風向ガイド
１５  メンテナンス蓋
１６  遮光板
１６ａ  ルーバ
１７  ルーバ
１８  ルーバ
１９  スリット
２０  補強板
２１  遮光板
３０  ペルチェ素子
３１  フィン
３２  フィン
３３  ファン
３４  ファン
３５  本体
３６  ファン取付部材
３７  ファン取付部材
３８  ドレンパン
３９  スリット
【図１】
2008091606.tif 000003
【図２】
2008091606.tif 000004
【図３】
2008091606.tif 000005
【図４】
2008091606.tif 000006
【図５】
2008091606.tif 000007
【図６】
2008091606.tif 000008
【図７】
2008091606.tif 000009
【図８】
2008091606.tif 000010
【図９】
2008091606.tif 000011